【手続補正書】
【提出日】平成25年4月15日(2013.4.15)
【手続補正１】
【補正対象書類名】特許請求の範囲
【補正対象項目名】全文
【補正方法】変更
【補正の内容】
【特許請求の範囲】
【請求項１】
複数のコンテンツデータを保持する第１の保持手段と、
文字列のキーワードを含むテキストデータと、前記キーワードを示すキーワード画像データとを情報処理装置から受信する受信手段と、
前記受信手段により受信されたテキストデータとキーワード画像データとを関連付けて保持する第２の保持手段と、
前記コンテンツデータと前記受信手段により受信されたテキストデータとを関連付ける関連付け手段と、
前記第２の保持手段により保持されている複数のキーワード画像データを表示部に表示するよう制御する表示制御手段と、
前記表示部に表示されている複数のキーワード画像データのうち、少なくとも一つを選択する指示を受け付ける受け付け手段とを有し、
前記表示制御手段は、前記受け付け手段により受け付けられた指示によって選択された前記キーワード画像データに関連付けられているテキストデータと、前記関連付け手段により前記コンテンツデータに関連付けられているテキストデータとに基づき特定される、前記選択されたキーワード画像データに対応するコンテンツデータを、前記表示部に表示するよう制御することを特徴とする画像処理装置。
【請求項２】
前記受け付け手段は更に、前記保持手段により保持されている複数のコンテンツデータのうちの少なくとも一つを選択する指示を受け付け、
前記受け付け手段により前記コンテンツデータが選択された場合、前記表示制御手段は、前記選択されたコンテンツデータを前記表示部に表示すると共に、前記コンテンツデータに関連付けられているテキストデータと、前記第２の保持手段により保持されるテキストデータとに基づき特定されるキーワード画像データを前記表示部に表示するよう制御することを特徴とする請求項１に記載の画像処理装置。
【請求項３】
前記第２の保持手段は、前記情報処理装置からの指示に応じて、保持しているキーワード画像データと前記保持しているキーワード画像データに関連付けられているテキストデータとを削除することを特徴とする請求項１または２に記載の画像処理装置。
【請求項４】
前記受信手段は、前記キーワードを含むテキストデータと、前記キーワードを示す複数のキーワード画像データとを情報処理装置から受信し、
前記第２の保持手段は、前記受信手段により受信されたテキストデータと複数のキーワード画像データとを関連付けて保持し、
前記表示制御手段は、前記第２の保持手段により保持されている複数のキーワード画像データが一つのテキストデータに関連付けられている場合、前記一つのテキストデータに関連付けられている複数のキーワード画像データのうちの一つを表示するよう制御することを特徴とする請求項１乃至３のいずれか１項に記載の画像処理装置。
【請求項５】
前記第２の保持手段により前記テキストデータが所定の数以上保持されている状態で、前記受信手段により更に前記テキストデータが受信された場合、前記第２の保持手段により保持されている複数のテキストデータのうちの一つを削除して、新たに受信したテキストデータを保持することを特徴とする請求項１乃至４のいずれか１項に記載の画像処理装置。
【請求項６】
前記第１の保持手段は、前記コンテンツデータを、着脱可能な記録媒体に記録することにより保持し、
前記第２の保持手段は、前記テキストデータおよび前記キーワード画像データを、前記記録媒体に記録することにより保持することを特徴とする請求項１乃至５のいずれか１項に記載の画像処理装置。
【請求項７】
被写体を撮像して画像データを前記コンテンツデータとして生成する撮像手段を更に有し、
前記第１の保持手段は、前記撮像手段により生成された画像データを前記コンテンツデータとして保持することを特徴とする請求項１乃至６のいずれか１項に記載の画像処理装置。
【請求項８】
前記第１の保持手段により保持されているコンテンツデータを前記情報処理装置に送信する送信手段を更に有し、
前記受信手段は更に、前記コンテンツデータを識別する識別情報とテキストデータとを、前記情報処理装置から受信し、
前記関連付け手段は、前記受信手段により受信された前記識別情報により特定されるコンテンツデータに、前記受信手段により前記識別情報と共に受信されたテキストデータを関連付けることを特徴とする請求項１乃至７のいずれか１項に記載の画像処理装置。
【請求項９】
前記キーワード画像データは、前記情報処理装置により生成された画像データであることを特徴とする請求項１乃至８のいずれか１項に記載の画像処理装置。
【請求項１０】
前記関連付け手段は、前記受信手段により受信されたテキストデータを、前記画像データのタイトルとして前記保持手段が保持しているコンテンツデータに関連付けることを特徴とする請求項１乃至９のいずれか１項に記載の画像処理装置。
【請求項１１】
前記保持手段により保持されている複数のコンテンツデータをグループ化する手段を更に有し、
前記関連付け手段は更に、前記グループに対して前記テキストデータを関連付けることが可能であることを特徴とする請求項１乃至１０のいずれか１項に記載の画像処理装置。
【請求項１２】
画像処理装置が撮影することにより生成されたコンテンツデータを前記画像処理装置から受信する受信手段と、
前記受信手段により受信されたコンテンツデータに関連付けるためのキーワードの入力を受け付ける受け付け手段と、
前記受け付け手段により受け付けられたキーワードを含むテキストデータと、前記キーワードを示すキーワード画像データを生成する生成手段と、
前記テキストデータと前記コンテンツデータを識別する識別情報とを前記画像処理装置に送信することにより、前記テキストデータを前記コンテンツデータに対応づけるよう前記画像処理装置に指示する指示手段とを有し、
前記生成手段は前記キーワード画像データを、前記コンテンツデータを送信した画像処理装置の機能に基づき生成することを特徴とする情報処理装置。
【請求項１３】
複数のコンテンツデータを保持する第１の保持ステップと、
キーワードを示す文字コードを含むテキストデータと、前記キーワードを示すキーワード画像データとを情報処理装置から受信する受信ステップと、
前記受信ステップで受信されたテキストデータとキーワード画像データとを関連付けて保持する第２の保持ステップと、
前記コンテンツデータと前記受信ステップで受信されたテキストデータとを関連付ける関連付けステップと、
前記キーワード画像データを表示部に表示するよう制御する表示制御ステップと、
前記表示部に表示されているキーワード画像データのうち、少なくとも一つを選択する指示を受け付ける受け付けステップとを備え、
前記表示制御ステップでは、前記受け付けステップで受け付けられた指示によって選択された前記キーワード画像データに関連付けられているテキストデータと、前記コンテンツデータに関連付けられているテキストデータとに基づき特定される前記コンテンツデータを前記表示部に表示するよう制御することを特徴とする画像処理装置の制御方法。
【請求項１４】
画像処理装置が撮影することにより生成されたコンテンツデータを前記画像処理装置から受信する受信ステップと、
前記受信ステップで受信されたコンテンツデータに関連付けるためのキーワードの入力を受け付ける受け付けステップと、
前記受け付けステップで受け付けられたキーワードを含むテキストデータと、前記キーワードを示すキーワード画像データを前記コンテンツデータを送信した画像処理装置の機能に基づき生成する生成ステップと、
前記テキストデータと前記コンテンツデータを識別する識別情報とを前記画像処理装置に送信することにより、前記テキストデータを前記コンテンツデータに対応づけるよう前記画像処理装置に指示する指示ステップとを有することを特徴とする情報処理装置の制御方法。
【請求項１５】
コンピュータを、請求項１乃至１１のいずれか１項に記載の画像処理装置の各手段として機能させるための、コンピュータが読み取り可能なプログラム。
【請求項１６】
コンピュータを、請求項１２に記載の情報処理装置の各手段として機能させるための、コンピュータが読み取り可能なプログラム。
【手続補正２】
【補正対象書類名】明細書
【補正対象項目名】発明の名称
【補正方法】変更
【補正の内容】
【発明の名称】画像処理装置及びその制御方法、情報処理装置及びその制御方法、プログラム
【手続補正３】
【補正対象書類名】明細書
【補正対象項目名】０００１
【補正方法】変更
【補正の内容】
【０００１】
本発明は、画像処理装置及びその制御方法、情報処理装置及びその制御方法、プログラムに関する。
【手続補正４】
【補正対象書類名】明細書
【補正対象項目名】０００６
【補正方法】変更
【補正の内容】
【０００６】
本発明に係わる画像処理装置は、複数のコンテンツデータを保持する第１の保持手段と、文字列のキーワードを含むテキストデータと、前記キーワードを示すキーワード画像データとを情報処理装置から受信する受信手段と、前記受信手段により受信されたテキストデータとキーワード画像データとを関連付けて保持する第２の保持手段と、前記コンテンツデータと前記受信手段により受信されたテキストデータとを関連付ける関連付け手段と、前記第２の保持手段により保持されている複数のキーワード画像データを表示部に表示するよう制御する表示制御手段と、前記表示部に表示されている複数のキーワード画像データのうち、少なくとも一つを選択する指示を受け付ける受け付け手段とを有し、前記表示制御手段は、前記受け付け手段により受け付けられた指示によって選択された前記キーワード画像データに関連付けられているテキストデータと、前記関連付け手段により前記コンテンツデータに関連付けられているテキストデータとに基づき特定される、前記選択されたキーワード画像データに対応するコンテンツデータを、前記表示部に表示するよう制御することを特徴とする。